(57)【要約】【課題】杭頭処理等における騒音を効率的に低減することができる防音構造物を提供する。【解決手段】防音構造物１０は、下方が開口した円筒形状で、金属材料で構成されている。この防音構造物１０の内側のすべての表面には、吸音材が一面に貼られている。防音構造物１０は、分割ユニット１１，１２，１３，１４を組み合わせることによって組み立てられている。防音構造物１０には、吸音材４０ａが一面に貼られた開閉可能なドア４０と、蛇腹構造の給気ダクト４１及び排気ダクト４２とが取り付けられている、防音構造物１０の上面部２０には、リブ２１，２２が設けられ、防音構造物１０の側面部３０には、リブ３１，３２，３３が設けられている。この防音構造物１０を、コンクリート杭を覆うように配置して、杭頭処理を実行する。【選択図】図１
2017053181.tif 000002
【特許請求の範囲】
【請求項１】
コンクリート杭の杭頭処理に用いる防音構造物であって、
前記コンクリート杭の外周及び上部を覆う下方が開口し、断面が円形状の円筒形状の本体部を備え、
前記本体部は、金属板部材で構成されており、
前記本体部の内周壁には、吸音材が設けられていることを特徴とする防音構造物。
【請求項２】
前記本体部は、複数の分割ユニットによって構成されており、
前記分割ユニットのそれぞれの上部には、搬送するために用いる吊り部材が設けられていることを特徴とする請求項１に記載の防音構造物。
【請求項３】
前記本体部には、前記本体部内の空間の排気及び給気をそれぞれ行なう排気ダクト及び給気ダクトが接続されており、
前記排気ダクト及び前記給気ダクトの少なくとも１つは、蛇腹構造であり、
前記排気ダクト及び前記給気ダクトの少なくとも１つの内部には、吸音材が設けられていることを特徴とする請求項１又は２に記載の防音構造物。
【発明の詳細な説明】
【技術分野】
【０００１】
本発明は、騒音が発生する作業を行なう場合に用いる防音構造物に関する。
【背景技術】
【０００２】
従来、鉄骨の建築物を立てるために、鉄筋コンクリート杭を地中に打設することがある。このコンクリート杭の頭部には、不純物が混ざり、十分な強度が得られないため、この部分を取り除く処理（杭頭処理）が行なわれている。この杭頭処理においては、ブレーカ等を用いて、杭頭を削り取る。この作業においては、削り取り時に騒音が生じる。
【０００３】
そこで、従来、コンクリート杭の周囲に４本の管を立設し、コンクリート杭を覆うように上方及び周囲を防音シートによって囲む場合がある。この場合、防音効果はあるものの、１０ｄｂ程度の低減であり、依然として騒音が課題である。
【０００４】
そこで、コンクリート杭の外周を密閉作業空間とするための防音構築物が検討されている（特許文献１参照。）。この防音構築物においては、内壁面体、外壁面体を有する中空二重壁構造であって、壁面体間の空間部に圧縮空気を封入したエアドーム形状の防音テントと、この防音テントを設置面側に固定する固定手段とを備える。この防音テント内に空気を供給し、防音テント内で発生する塵埃を集塵機によって排出する。更に、防音テント内で作業する作業者の気密服内に冷気を供給する。
【先行技術文献】
【特許文献】
【０００５】
【特許文献１】特開２００１−１２３４４１号公報
【発明の概要】
【発明が解決しようとする課題】
【０００６】
しかしながら、上記文献に記載の技術においてはエアドームが用いられており、杭頭処理において生じる騒音を十分に低減させることができなかった。また、壁面体間において圧縮空気を封入した空間部に、排気及び給気を行なう管を貫通する必要があり、設置が煩雑であった。このため、複数のコンクリート杭が配置された工事現場において杭頭処理を行なう場合には、設置に時間が掛かっていた。
【０００７】
本発明は、上記課題に鑑みてなされ、その目的は、杭頭処理等における騒音を効率的に低減することができる防音構造物を提供することにある。
【課題を解決するための手段】
【０００８】
上記課題を解決するための防音構造物は、コンクリート杭の杭頭処理に用いる防音構造物であって、前記コンクリート杭の外周及び上部を覆う下方が開口し、断面が円形状の円筒形状の本体部を備え、前記本体部は、金属板部材で構成されており、前記本体部の内周壁には、吸音材が設けられている。これにより、強固な金属から構成される本体部と、この内周壁に設けられた吸音材とによって、杭頭処理において発生する騒音を十分に低減することができる。更に、本体部が金属板部材の筒形状で構成されているため、クレーン等を用いて防音構造物を効率よく移動させて設置することができる。また、杭頭処理を実行するコンクリート杭が円柱であるため、円筒形状の本体部とすることにより、効率よくコンクリート杭を覆うことができる。従って、防音構造物の重量を軽くすることができ、クレーン等を用いて防音構造物を効率よく移動させて設置することができる。
【０００９】
上記防音構造物において、前記本体部は、複数の分割ユニットによって構成されており、前記分割ユニットのそれぞれの上部には、搬送するために用いる吊り部材が設けられていることが好ましい。これにより、小さいトラックによって搬送が可能であり、現場における組立、解体及び保管を効率よく行なうことができる。
【００１０】
上記防音構造物において、前記本体部には、前記本体部内の空間の排気及び給気をそれぞれ行なう排気ダクト及び給気ダクトが接続されており、前記排気ダクト及び前記給気ダクトの少なくとも１つは、蛇腹構造であり、前記排気ダクト及び前記給気ダクトの少なくとも１つの内部には、吸音材が設けられていることが好ましい。これにより、ダクトの内部に設けられた吸音材や蛇腹構造によって外部に漏れる騒音を低減することができる。
【発明の効果】
【００１１】
本発明によれば、杭頭処理等における騒音を効率的に低減することができる。
【図面の簡単な説明】
【００１２】
【図１】本実施形態における防音構造物の斜視図であり、（ａ）は前方から見た斜視図、（ｂ）は後方から見た斜視図。
【図２】本実施形態における防音構造物の本体部の分解斜視図。
【図３】本実施形態における防音構造物の本体部を説明する図面であり、（ａ）は上面図、（ｂ）は一部破断の側面図。
【発明を実施するための形態】
【００１３】
以下、図１〜図３を用いて、防音構造物の一実施形態を説明する。本実施形態の防音構造物は、直径３ｍ程度のコンクリート杭の杭頭処理を行なう場合に用いられる。
図１は、本実施形態の防音構造物１０の斜視図を示している。更に、図２、図３（ａ）及び図３（ｂ）は、本実施形態の防音構造物１０の本体部の分解斜視図、正面図及び側面図をそれぞれ示している。
【００１４】
図１（ａ）に示すように、防音構造物１０は、下方が開口した円筒形状の本体部を有している。防音構造物１０は、高さ約３ｍ、直径約５ｍの大きさである。本体部は、円板形状の上面部２０と、この上面部２０の外周において一体化された筒形状の側面部３０とを備えている。上面部２０及び側面部３０は、例えば１．２ｍｍ程度の厚さの板形状の金属材料（例えば鉄）で構成されている。
【００１５】
図２に示すように、本実施形態の防音構造物１０の本体部は、立設させたときの水平方向と鉛直方向において２つずつ分割される分割ユニット１１，１２，１３，１４から構成されている。
【００１６】
各分割ユニット（１１〜１４）は、他の分割ユニット（１１〜１４）と接合する部分にリブ１５が設けられている。具体的には、上部の分割ユニット１１，１２においては、上面部１１ａ，１２ａの側端部と、側面部１１ｂ，１２ｂの側端部及び下縁部とに、リブ１５が設けられている。下部の分割ユニット１３，１４には、側面部１３ｂ，１４ｂの側端部及び上縁部にリブ１５が設けられている。各リブ１５は、本体部と同じ材料で構成されており、対応するリブ１５と当接可能に設けられている。そして、離間した位置においてボルト１６を貫通させて、ナットにより一体固定されている。なお、図２においては、各分割ユニット（１１〜１４）において水平方向の延在するリブ１５に取り付けられるボルト１６を省略して示している。
【００１７】
上部の各分割ユニット１１，１２の端部には、３つの吊り部材１７が、離間して設けられている。吊り部材１７は、上方に突出した形状をしている。各吊り部材１７には、ワイヤーを掛止させて吊るための孔が設けられている。
【００１８】
下部の各分割ユニット１３，１４には、３つの吊り部材１８が、離間して設けられている。各吊り部材１８は、分割ユニット１１，１２の吊り部材１７の下方となる位置に配置されている。吊り部材１８は、上方外側に突出し、吊り部材１７と同様に、ワイヤーを掛止させて吊るための孔が形成されている。
【００１９】
更に、図１（ｂ）に示すように、上部の分割ユニット１１には、排気口１１ｈが設けられている。
また、図１（ａ）に示すように、下部の分割ユニット１４には、開口部１４ｄが設けられている。この開口部１４ｄには、開閉可能なドア４０が設けられている。このドア４０は、外側に開放される。ドア４０の内側面には、吸音材（例えばグラスウールやロックウール）４０ａが一面に貼られている。
図２に示す下部の分割ユニット１３，１４には、給気口１３ｈ，１４ｈが設けられている。給気口１３ｈ，１４ｈは、開口部１４ｄを挟んで、離間した位置に設けられている。
【００２０】
図３に示すように、防音構造物１０の本体部の上面部２０の上面（外側面）には、中心から放射線状に延在する複数のリブ２１が、上方に突出するように設けられている。更に、上面部２０には、隣り合うリブ２１の中央を連結するリブ２２が、上方に突出するように設けられている。なお、リブ２１，２２は、上面部２０と同じ材料で構成されている。
【００２１】
側面部３０の外側面には、鉛直方向に延在するリブ３１，３２が外側に突出するように設けられている。リブ３１は、上面部２０の各リブ２１の端部に接合するように配置されている。リブ３２は、リブ３１間に配置されている。
【００２２】
図３（ｂ）に示すように、側面部３０の外側面には、下端部の外周縁部に、リブ３３が径方向に突出するように設けられている。なお、リブ３１，３２，３３は、側面部３０と同じ材料で構成されている。
【００２３】
更に、防音構造物１０の内側のすべての表面（内側側面及び天井）には、吸音材５０としてのグラスウールが一面に貼られている。なお、防音構造物１０の内部の上面（天井部分）には、照明器具とコンセントが取り付けられている。
【００２４】
そして、図１（ａ）に示すように、給気ダクト４１が、防音構造物１０の給気口１３ｈ，１４ｈに接続して取り付けられている。給気ダクト４１は、蛇腹構造をしたフレキシブルダクトである。この給気ダクト４１の内部壁面には、吸音材（図示せず）が設けられている。そして、吸音材に囲まれた通気領域において、給気が行なわれる。
【００２５】
図１（ｂ）に示すように、排気ダクト４２が、防音構造物１０の排気口１１ｈに接続して、設けられている。この排気ダクト４２は、蛇腹構造をしたフレキシブルダクトである。排気ダクト４２は、防音構造物１０の内部の壁面に設置された集塵機（図示せず）に接続されている。この集塵機は、ろ過フィルターを内蔵しており、粉塵をろ過して外部に排気する。本実施形態では、この集塵機として７０ｄｂ程度の静音仕様の集塵機を用いる。
【００２６】
次に、以上のように構成された防音構造物１０の使用方法について説明する。
防音構造物１０は、各分割ユニット１１〜１４に分割されて保管されている。使用する場合には、保管場所から、輸送車両（例えば４ｔ（トン）トラック）に載置して、現場まで輸送する。この場合、各分割ユニット１１〜１４の３つの吊り部材１７，１８にワイヤーを通し、このワイヤーをクレーンで吊って搬送する。
【００２７】
そして、杭頭処理対象のコンクリート杭を囲むように、下部の分割ユニット１３，１４を配置し、これら分割ユニット１３，１４を連結して固定する。次に、分割ユニット１３，１４の上に、上部の分割ユニット１１，１２を連結して固定する。
【００２８】
そして、作業員は、ドア４０を通って防音構造物１０の内部に入り、ドア４０を閉める。作業員は、ハンドブレーカを用いて、コンクリート杭の上部のコンクリートを削ることにより、斫り作業を実行する。この場合、防音構造物１０内の空間には、給気ダクト４１を介して空気が供給され、集塵機及び排気ダクト４２を介して空気が排出される。
【００２９】
本実施形態によれば、以下のような効果を得ることができる。
（１）本実施形態の防音構造物１０は、下方が開口した円筒形状で、金属材料で構成されている。この防音構造物１０の内側のすべての表面（内側側面及び天井）には、吸音材５０が一面に貼られている。そして、コンクリート杭を覆うように、防音構造物１０を配置して、杭頭処理を実行する。これにより、強固な金属から構成される本体部と、この内周壁に設けられた吸音材５０とによって、杭頭処理において発生する騒音を十分に低減することができる。更に、防音構造物１０の本体部が、金属板部材の筒形状で構成されているため、クレーン等を用いて防音構造物を効率よく移動させて設置することができる。また、吸音材としてのグラスウールは、断熱効果もあるため、外が暑い場合や寒い場合であっても、防音構造物１０内の温度を作業しやすい温度にすることが期待できる。
【００３０】
（２）本実施形態の防音構造物１０は、断面が円形状の円筒形状をしている。更に、防音構造物１０の上面部２０には、放射線状に延在する複数のリブ２１や、これらリブ２１の中央を連結するリブ２２が設けられている。更に、側面部３０の鉛直方向に延在するリブ３１，３２が設けられている。これにより、板形状で構成される防音構造物１０の本体部の強度を高くすることができるので、騒音が外部に伝達され難くすることができる。また、杭頭処理を実行するコンクリート杭が円柱であるため、円筒形状の本体部とすることにより、効率よくコンクリート杭を覆うことができる。従って、防音構造物の重量を軽くすることができるため、クレーン等を用いて防音構造物を効率よく移動させて設置することができる。
【００３１】
（３）本実施形態では、防音構造物１０の本体部は、複数の分割ユニット（１１〜１４）によって構成されている。これにより、保管や搬送が容易である。
（４）本実施形態の防音構造物１０の各分割ユニット（１１〜１４）には、他の分割ユニット（１１〜１４）と接合する部分にリブ１５が設けられている。これにより、各リブ１５と、これに対応するリブ１５とを当接させて、ボルト１６を貫通させて、ナットにより一体固定されている。このため、防音構造物１０を容易に組み立てることができる。
【００３２】
（５）本実施形態の防音構造物１０の各分割ユニット（１１〜１４）には、吊り部材１７，１８が設けられている。これにより、各吊り部材１７，１８の孔にワイヤーを吊るして、玉掛け作業により搬送や設置を行なうことができる。
【００３３】
（６）本実施形態の防音構造物１０の各吊り部材１７，１８は、各分割ユニット（１１〜１４）において、離間して３つ配置されている。このため、安定して、各分割ユニット（１１〜１４）を吊ることができる。
【００３４】
（７）本実施形態の防音構造物１０には、蛇腹構造の給気ダクト４１及び排気ダクト４２を備えている。これにより、給気ダクト４１や排気ダクト４２を介しての音漏れを低減することができる。
【００３５】
（８）本実施形態の防音構造物１０の給気ダクト４１は、吸音材が内部壁面に設けられている。これにより、給気ダクト４１を介して外部に漏れる騒音を更に低減することができる。
【００３６】
また、上記実施形態は、以下のように変更してもよい。
・上記実施形態においては、防音構造物１０の本体部は、断面が円形状の円筒形状の金属板部材から構成する。防音構造物１０の形状は、断面が真円に近い円形状の円筒形状に限定されず、杭頭処理を行なうコンクリート杭の形状に断面がほぼ相似拡大した形状であれば、断面が楕円や角丸四角形状の円筒形状を用いることも可能である。また、金属板部材は、鉄以外の金属を用いてもよい。更に、防音構造物１０の内側のすべての表面（内側側面及び天井）に設けられる吸音材は、グラスウールに限定されず、例えばロックウール等の他の吸音材を用いることも可能である。
【００３７】
・上記実施形態の防音構造物１０の本体部に、蛇腹構造の給気ダクト４１及び排気ダクト４２を設ける。給気ダクト４１及び排気ダクト４２の構造は、これに限定されない。また、給気ダクト４１の内部壁面にのみ吸音材を設けたが、排気ダクト４２の内部壁面に吸音材を設けてもよい。更に、各ダクト（４１，４２）を、蛇腹構造にせずに、内部壁面に吸音材を配置することによってのみ、音漏れを低減させた構造にすることも可能である。
【００３８】
・上記実施形態の防音構造物１０は、水平方向と鉛直方向において２つずつ分割される分割ユニット（１１〜１４）から構成されている。防音構造物１０の分割ユニットは、水平方向と鉛直方向の２つずつの分割に限定されるものではない。例えば、輪切り状に、水平方向のみで分割した分割ユニットであってもよい。また、上面の中心から径方向の鉛直方向に分割した扇形状の分割ユニットを用いることも可能である。
【００３９】
防音構造物１０を用いるコンクリート杭が小さい場合には、水平方向のみに２分割した構造を用いることも可能である。また、大きなコンクリート杭の場合には、更に多くの数に分割した分割ユニットとしてもよい。この場合、小さいコンクリート杭に用いる分割ユニット間に、補間ユニットを挿入して、上面を角丸四角形状にする。この場合、４つの壁面にも補間ユニットを挿入して、元の分割ユニットを相互に連結するようにする。これにより、補間ユニットにより、覆う領域を拡張し、杭径の大きさに応じた大きさの防音構造物１０にすることができる。この場合、各分割ユニット同士が当接する部分には、リブ１５を設ける。このリブ１５同士を当接させて、ボルトとナットで固定するようにしてもよい。
【００４０】
・上記実施形態の防音構造物１０は、下端部の外周縁部に、本体部と同じ材料で構成されるリブ３３が径方向に突出するように設けられている。このリブ３３を吸音材で構成してもよいし、リブ３３の下方に吸音材を配置してもよい。また、防音構造物１０の分割ユニット（１１〜１４）が当接する部分にはリブ１５が設けられている。このリブ１５の空間を渡るように防音材を配置してもよい。これにより、分割ユニット（１１〜１４）の当接部分、防音構造物１０の設置面との当接部分から外部に漏れる騒音を更に低減することができる。
【符号の説明】
【００４１】
１０…防音構造物、１１，１２，１３，１４…分割ユニット、１１ａ，１２ａ，２０…上面部、１１ｂ，１２ｂ，１３ｂ，１４ｂ，３０…側面部、１４ｄ…開口部、１３ｈ，１４ｈ…給気口、１５，２１，２２，３１，３２，３３…リブ、１６…ボルト、１７，１８…吊り部材、４０…ドア、４０ａ，５０…吸音材、４１…給気ダクト、４２…排気ダクト。
【図１】
2017053181.tif 000003
【図２】
2017053181.tif 000004
【図３】
2017053181.tif 000005